(57)【要約】【課題】  デジタル的に記憶するための画像を取り込むメディア装置を、セキュリティ，娯楽用等に拡張可能・再構成可能とする。【解決手段】  メディア装置１００は、入力してくるビデオ・ストリームについてオンザフライで、又はメモリに記憶された映像データについて、デジタル・エフェクト及びフィルタ処理を行う。メディア装置のデジタル／エフェクト及びフィルタは、動的に記憶，変更，更新又は削除可能であり、これによって拡張可能・再構成可能なエフェクト機能が提供される。また、メディア装置１００は、他のメディア装置，コンピュータ，セキュリティ・システム，映像記憶媒体，電子メール，チャット，セルラー・サービス又はＰＤＡ等と無線を介して通信可能に接続され、メディア装置で取り込まれた映像ストリームは他の装置等に対してシームレスで統合される。【選択図】      図１ａ
2004357272.tif 000002
【特許請求の範囲】
【請求項１】
映像データを生成する映像センサと、
前記映像データの後製作を行うための一又は二以上の命令を有する再構成可能なソフトウェアを含む制御部と、
を備えることを特徴とするデジタル・メディア装置。
【請求項２】
前記再構成可能なソフトウェアは、さらに、デジタル権利を管理する一又は二以上の命令を含む請求項１記載のデジタル・メディア装置。
【請求項３】
前記再構成可能なソフトウェアは、さらに、バイオメトリック識別情報認識を行う一又は二以上の命令を含む請求項１記載のデジタル・メディア装置。
【請求項４】
前記再構成可能なソフトウェアは、さらに、メタ・データを前記映像データに関連付ける一又は二以上の命令を含み、
前記メタ・データは、言語属性，バイオメトリック属性，課金又は配布属性，著者又はジャンル又は背景情報を示す属性、又は認証属性を含む請求項１記載のデジタル・メディア装置。
【請求項５】
映像データを生成する映像センサと、
前記映像データの後製作を行うための再構成可能なハードウェアを含む制御部と、
を備えることを特徴とするデジタル・メディア装置。
【請求項６】
一又は二以上の音声又は映像データの製作を、一又は二以上のメディア装置に行わせる委任ステップと、
前記一又は二以上のメディア装置から、前記一又は二以上の音声又は映像データを受信する受信ステップと、
を有することを特徴とするコンテンツの製作方法。
【請求項７】
前記委任ステップが、スクリプト又はデジタル・テンプレートに従って行われる請求項６記載のコンテンツの製作方法。
【請求項８】
前記委任ステップ又は前記受信ステップが、ネットワークを介して行われる請求項６記載のコンテンツの製作方法。
【請求項９】
前記コンテンツが、ニュース番組又はスポーツ番組を含む請求項６記載のコンテンツの製作方法。
【請求項１０】
メディア装置を用いて映像データを製作する製作ステップと、
前記メディア装置からレンダラに前記映像データを送信する送信ステップと、を有し、
前記レンダラが、映画館，衛星放送装置又はモバイル映像表示デバイスからなることを特徴とするコンテンツの配布方法。
【請求項１１】
メディア装置を用いて映像データを製作する製作ステップと、
所定のデータ構造を前記映像データに関連付ける関連付けステップと、を有し、
前記データ構造が、メタ・データからなることを特徴とする映像データへのメタ・データ関連付け方法。
【請求項１２】
前記メタ・データが、前記製作ステップ実行時における、前記メディア装置の地理的な位置情報を含む請求項１１記載の映像データへのメタ・データ関連付け方法。
【請求項１３】
前記メタ・データが、前記製作ステップ実行時における、前記メディア装置の空間的な方向情報を含む請求項１１記載の映像データへのメタ・データ関連付け方法。
【請求項１４】
前記メタ・データが、ＤＲＭタグを含む請求項１１記載の映像データへのメタ・データ関連付け方法。
【請求項１５】
前記メタ・データが、言語タグを含む請求項１１記載の映像データへのメタ・データ関連付け方法。
【請求項１６】
前記メタ・データが、バイオメトリック・タグを含む請求項１１記載の映像データへのメタ・データ関連付け方法。
【請求項１７】
前記メタ・データが、認証タグを含む請求項１１記載の映像データへのメタ・データ関連付け方法。
【請求項１８】
一又は二以上の映像データを選択するためのビューを提供するステップと、
ニュース番組又はスポーツ番組に組み込むための、前記一又は二以上の映像データの一つを指定する選択を受信するステップと、を有し、
前記一又は二以上の映像データが、一又は二以上のメディア装置で生成されることを特徴とするユーザ・インタフェース表示方法。
【請求項１９】
一又は二以上の映像データを選択するためのビューを提供するステップと、
ニュース・サーバ又はスポーツ・サーバに送信するための、前記一又は二以上の映像データの一つを指定する選択を受信するステップと、を有し、
前記一又は二以上の映像データが、一又は二以上のメディア装置で生成されることを特徴とするユーザ・インタフェース表示方法。
【発明の詳細な説明】
【技術分野】
【０００１】
本発明は、電子メディア・デバイスとその処理方法に関し、特に、ネットワークに接続され、再構成可能（reconfigurable：リコンフィギャラブル）なメディア装置に関する。
【背景技術】
【０００２】
従来のデジタル映像メディア装置においては、記録された音声又は映像信号の後処理（post-processing：ポスト・プロセッシング）については、予め装置に搭載された限られた編集機能及びフィルタリング機能では実行不可能なため、そのような後処理は外部のコンピュータ資源に依存していた。
また、メディア装置に予め搭載されているソフトウェアはその拡張性が限られており、外部装置資源との通信機能も限定されているため、従来のデジタル・メディア装置は、工場製造時に搭載された処理能力だけに限定された、スタンド・アロンな音声又は映像記録手段となっていた。
【発明の開示】
【発明が解決しようとする課題】
【０００３】
このため、ネットワークを介して通信が行え、音声又は映像処理ソフトウェアの拡張が行え、さらに、記録された音声又は映像信号のタグ付けが行えるような、ネットワーク接続への拡張が可能で、かつ、容易に再構成可能なメディア装置が要望されるようになった。
本発明は、このような従来の課題を解決するために提案されたものであり、ネットワークに接続可能で、リコンフィギャラブル（再構成可能）なメディア機器の提供を目的とする。
【課題を解決するための手段】
【０００４】
上記目的を達成するため、本発明のネットワーク拡張可能・再構成可能メディア装置は、入力された音声及び／又は映像を取り込み、コード化し、装置内のメモリに記憶し、あるいはネットワークを介して受信者側に中継するようになっている。
そして、メディア装置に予め搭載されたデジタル音声及び／又はビデオのエフェクト（effects）及びフィルタ（filters）機能は、メモリに記憶された音声及び／又は映像データや、オンザフライ（on-the-fly）で入力される音声及び／又は映像ストリームを処理することができる。
【０００５】
本発明のメディア装置は、予め搭載されたデジタル・エフェクト及びフィルタの構成を、動的に記憶，変更，更新及び削除して、移動可能，拡張可能で、再構成が可能なエフェクトのセット，ソフトウェア・パッケージ（スタジオ）として提供することができる。
また、本発明のメディア装置は、無線及び／又は有線を介して、他のメディア装置やコンピュータ，セキュリティ・システム，ビデオ記憶媒体，全地球測位システム（ＧＰＳ）サービス，インターネット，セルラー・サービス及び／又は携帯情報端末（ＰＤＡ）と通信接続され、取り込まれた音声及び／又は映像ストリームを、メディア装置に搭載されない機能を備える装置資源及び／又はサービスとシームレスに統合することができる。
【発明の効果】
【０００６】
以上のような本発明によれば、予め備えられた加速度検出器の機能と同様に、音声及び／又は映像，無線，バイオメトリック及びＧＰＳの各機能により、メディア装置は、セキュリティの用途に好適に使用できるようになる。
また、予め搭載された拡張可能かつ再構成可能なエフェクト及びフィルタ機能のセット（スタジオ）により、メディア装置は、娯楽用及び映像製作用又は編集用に好適に使用することができる。
【発明を実施するための最良の形態】
【０００７】
以下、本発明に係るネットワーク拡張可能・再構成可能メディア装置の好ましい実施形態について、図面を参照しつつ説明する。
図１ａは、本発明の一実施形態に係るネットワーク拡張可能・再構成可能なメディア装置１００の構成を示すブロック図である。
同図に示すように、メディア装置１００は、メディア・ユニット１０１と、制御部１０８，通信ユニット１０３及び電源モジュール１１６を備えている。
【０００８】
メディア・ユニット１０１は、入力される音声及び／又は映像を取り込む音声及び／又は映像（Ａ／Ｖ）センサ１２０を備えている。
このＡ／Ｖセンサ１２０で取り込まれた映像は、制御部１０８のメモリ１１０に所定の映像フォーマットで記憶される。
映像を記憶するフォーマットとしては、例えば、デジタル・ビデオ・ディスク（ＤＶＤ），ＰＡＬデジタル・ビデオ・カセット（ＰＡＬ  ＤＶＣ），ＰＡＬ又はＮＴＳＣレーザ・ディスク，２４Ｐ  ＨＤ，３／４インチ・ビデオ，ＭＰＥＧ−２，ＭＰＥＧ−４（ＤＶ−２５，ＤＶ−５０，ＩＭＩＸ，ＩＳＭＡなど），Ｈ.２６４，ＡＶＩ，ＤＶ，ＤＶＣＡＭ，ＤＶＣＰＲＯ，ＤＶＣＰＲＯ−２５／５０／１００，ＶＨＳ，Ｄ−ＶＨＳ，Ｗ−ＶＨＳ，デジタル−８，デジタル−Ｓ，Ｄ１，Ｄ２，Ｄ５  ＨＤ，ベータカムＳＸ，デジタルベータカム，その他のデジタルＥＮＧフォーマット，モーションＪＰＥＧ，他のすべてのＨＤＴＶフォーマット，ＮＴＳＣ，ＰＡＬ，ＨＤＤ／ＲＡＩＤ／ディスクアレイ、及び／又は映像をコード化するためのその他のフォーマット等、種々の映像フォーマットを用いることができる。
【０００９】
メディア・ユニット１０１は、選択的に、バイオメトリック・モジュール１０６を備える。
バイオメトリック・モジュール１０６は、指紋スキャナ，網膜スキャナ及び／又はバイオメトリック・サンプルを収集するその他の要素からなり、スキャンされたバイオメトリック・データ及び／又はバイオメトリック識別処理結果は、メモリ１１０に記憶される。また、メモリ１１０には、例えば、予め記憶されたバイオメトリック識別子と比較されることにより認証が行われる、採取されたバイオメトリック・サンプルのデジタル表現（digital  representation）からなるデータ構造が記憶される。
なお、バイオメトリック・モジュール１０６は、例えば、遺伝子に基づく識別を行うためのマイクロ・アレイ・チップと組み合わせることができる。
【００１０】
また、メディア・ユニット１０１は、選択的に、再構成可能なロジック及び／又はソフトウェア１２２を備える。
再構成可能なロジック（ソフトウェア）１２２は、プログラマブルに音声及び／又は映像の取り込みや、音声，映像フォーマットへの変換、又は音声，映像フォーマットからの変換を行うためのものである。
【００１１】
制御部１０８は、マイクロプロセッサ（例えば、インテル社製セントリノ・プロセッサ・ファミリ等）１２３とメモリ１１０を備えており、また、選択的に、コ・プロセッサ（co-processor）１２４，デジタル信号処理（ＤＳＰ）装置１２５，アレイ・プロセッサ１２６及び／又は再構成可能ロジック１２７を備える。
そして、制御部１０８は、メモリ１１０に記録された音声及び／又は映像データについての音声及び／又は映像処理を行う。
また、制御部１０８は、選択的に、処理された音声データ及び／又は映像データがメモリ１１０に格納される前に、リアルタイム処理によって、入力されてくるコード化された音声データ及び／又は映像データについてオンザフライ処理を行う。
【００１２】
このような制御部１０８は、例えば、特定用途向け集積回路（ＡＳＩＣ）ブロック，統合可能な知的財産コア，セル・プロセッサ，再構成可能なロジックブロック，フィールド・プログラマブル・ゲート・アレイ（ＦＰＧＡ）、テンシリカ社製Ｘｔｅｎｓａチップのアーキテクチャ及び／又は命令セット，シングル／マルチプル・インストラクション
シングル／マルチプル・データ（Ｓ／ＭＩ  Ｓ／ＭＤ）アーキテクチャの信号処理チップ、ソニー社製“セル”チップ、及び／又は音声及び／又は映像処理を行うその他のアーキテクチャにより実現することができる。
【００１３】
また、制御部１０８及び／又はＡ／Ｖセンサ１２０は、カラー・スペース変換，輝度調整，ホワイト・バランス，バックライト補償，ゲイン・コントロール，操作検出，移動検出，移動追跡，ガンマ補正，鮮明化，複数フレーム・ノイズ低減，深度推定，２Ｄ不良ピクセル補正，映像圧縮，映像安定化，デジタル・パン，デジタル・チルト，デジタル・ズーム及び／又は連続フレームからパノラマ像を作成するためのモザイク化を行うことができる。
【００１４】
通信ユニット１０３は、電波を介して（例えば、セルラー又はその他の無線ネットワークを介して）通信を行うための無線周波数（ＲＦ）トランシーバ１２８、及び／又は、有線及び／又は無線ネットワーク（例えば、構内通信網（ＬＡＮ），広域通信網（ＷＡＮ），ワイヤレス・フェデリティ（ＷｉＦｉ）ネットワーク等）を介して通信を行うネットワーク制御部１２９を備えている。
通信ユニット１０３は、選択的に、加入者情報モジュール（ＳＩＭ）ユニット１３０及び／又はスマート・カード・ユニットを備える。これらは、ユーザ情報（例えば、ユーザによるオプション設定，会員サービス，認証，決済口座等の情報）の記憶及び／又は呼び出し、及び／又は一人あるいは複数のユーザによりメディア装置１００を使用させるためのものである。
【００１５】
通信ユニット１０３は、選択的に、衛星を通してＧＰＳデータを受信するためのＧＰＳモジュール１１２を備える。ＧＰＳモジュール１１２は、例えば、シングル・チップ又はチップ・セットにより実現されるマイクロＧＰＳトランスポンダにより構成することができる。
通信ユニット１０３は、選択的に、メディア装置１００の方向及び／又は加速度を決定するための加速度検出器１１３（例えば、ジャイロスコープ，単チップ加速度測定装置、又は加速度を検出するためのその他の要素）を備える。
また、通信ユニット１０３は、選択的に、再構成可能なロジック又はソフトウェア１３１を備える。これは、プログラマブル・プロトコル変換，フォーマット変換，ネットワーク・パケット処理，ネットワーク・パケット圧縮及び／又は圧縮解除，通信暗号化及び／又は暗号解読、及び／又はその他の通信処理を行うためのものである。
【００１６】
電源モジュール１１６は、メディア装置１００に電力を供給するものであり、ＡＣ及び／又はＤＣ電源，再充電可能な携帯用電池，燃料電池（例えば、ダイレクト・メタノール型燃料電池等）、及び／又は他の電力供給源により構成することができる。
なお、メディア装置１００は、選択的に、低電力無線センサ・ネットワークのための、ＭＩＣＡマイクロセンサ・プラットフォームを利用することができる。
また、選択的に、メディア装置１００のアーキテクチャは、アドバンスト・テレコミュニケーション・コンピューティング・アーキテクチャ（Advanced  ＴＣＡ）に適合させることができる。
【００１７】
図１ｂは、本発明の他の実施形態に係るネットワーク拡張可能・再構成可能なメディア装置１００を例示したブロック図である。
同図に示すメディア装置１００おいて、映像（又は光）センサ１０２は、入力される画像ストリームを取り込んで、メモリ１１０にそのデジタル情報を記憶する。
このセンサ１０２は、例えば、相補型金属酸化膜半導体（ＣＭＯＳ）イメージ・センサにより構成することが好ましい。
センサ１０２は、選択的に、画像プリプロセッサと統合することができる。また、センサ１０２は、選択的に、例えば、ピクシム社製Ｄ１０００又はＤ２０００ビデオ・イメージング・システム・チップ・セットのような、統合された２つのチップ・セットにより構成することができる。また、センサ１０２は、選択的に、画像の後処理ステップのために分割構成とすることができる。さらに、センサ１０２は、電荷結合素子（ＣＣＤ）又はアクティブ・ピクセル・センサ（ＡＰＳ）等の画像化手段で構成することもできる。
【００１８】
音声センサ１０４は、入力される音声を取り込んで、所定の音声フォーマットにより、メモリ１１０に入力音声のデジタル情報として記憶する。
音声フォーマットとしては、例えば、音声交換ファイルフォーマット（ＡＩＦＦ），ＭＰＥＧレイヤ３（ＭＰ３）、及び／又は音声情報をコード化するその他のフォーマットを用いることができる。
【００１９】
Ｉ／Ｏモジュール１１１は、音声及び映像出力を備えている。そして、Ｉ／Ｏモジュール１１１は、映像表示用に予め搭載されたディスプレイ又はスクリーン・ユニット１１４、及び音声発生用に予め搭載されたスピーカ１１５と信号通信を行う。
ディスプレイ装置１１４は、選択的に、視認可能なプロンプト（例えば、テキストや絵等）を表示するためのテレプロンプタを備える。
【００２０】
Ｉ／Ｏモジュール１１１は、選択的に、ＧＰＳデータ，デジタル著作権利管理（ＤＲＭ）のメタ・データ，音声及び／又は映像プラグイン，及び／又は他の命令及び／又は処理されるデータ及び／又はタグ付けするための音声及び／又は映像データを送信及び／又は受信するために、無線，有線，セルラーネットワーク，ＬＡＮ，及び／又はＷＡＮ（例えば、インターネット）を介して通信を行う。
Ｉ／Ｏモジュール１１１は、選択的に、外部の音声源及び／又は映像源から音声及び映像信号を受信するための映像及び音声入力を備える。ここで、外部の音声源，映像源としては、例えば、カメラ，ＰＤＡ，メディア・リポジトリ，衛星，セキュリティ・サービス，ＤＲＭサービス，バイオメトリック・サービス，ＧＰＳサービス，ＰＣ又はワークステーション，セルラー・サービス又はセルラー・デバイス、その他、メディア装置１００と通信可能なデバイス又はサービス等がある。
また、メディア装置１００は、選択的に、他のデバイス及び／又はサービスとネットワークを介して通信するためのネットワーク制御部１１７を備える。
【００２１】
図２は、本発明の好ましい一実施形態に係るメモリ１１０を示すブロック図である。
メモリ１１０は、例えば、ダイナミック・ランダム・アクセス・メモリ（ＤＲＡＭ），スタティック・ランダム・アクセス・メモリ（ＳＲＡＭ），高速フラッシュ・メモリ、及び／又は着脱可能なメモリ（例えば、マルチメディアカード等の着脱可能なフラッシュ・メモリ）により構成することができる。
そして、メモリ１１０は、音声及び映像データ２０１を記憶する。
【００２２】
メモリ１１０は、選択的に、視聴時間制課金及び／又はマイクロ課金のような、課金やその他のビジネス方法を実行するためのソフトウェアの命令及びデータ２０２（課金２０２）を記憶する。
例えば、メモリ１１０は、視聴内容を説明するフィールド（例えば、家庭で視聴されるビデオ・ストリームのクリップ）及び／又は視聴に対して課金すべき金額を示すフィールド、及び／又は課金すべき当事者を識別するフィールド等を含むデータ構造を記憶する。
【００２３】
メモリ１１０は、選択的に、ＤＲＭ（例えば、ディズニー・メディア財産管理（ＭＡＭ）フォーマット），アドビ社製ＸＭＰ（拡張可能メタ・データ・プラットフォーム）のようなリソース定義フレームワーク（ＲＤＦ）、又はメタ・データを管理する他の方式等を実行するためのメタ・データ及び／又は命令２０３（ＤＲＭ２０３）を記憶する。このＤＲＭ２０３は、例えば、ヘッダ，ＸＭＬメタ・データ，トレーラ、及び埋込みフィールドを含むＭＸＰパケット・データ構造を使用することができる。
メモリ１１０は、選択的に、例えば、拡張可能権利記述言語（ＸｒＭＬ）のような権利表現言語データ・モデルに従ってＤＲＭを実行するためのデータ及び／又は命令を記憶する。
メモリ１１０は、選択的に、提案されているグローバル・リリースＩＤ構文（ＧＲＩＤ）を実行するためのメタ・データ及び／又は命令を記憶する。ＧＲＩＤは、例えば識別子形式，発行者コード，リリース番号及びチェックサム（Checksum）を有するデータ構造を使用する。
【００２４】
メモリ１１０は、選択的に、デジタル認証，暗号化，暗号解読，キー生成，デジタル署名，デジタル電子透かし等を実行するための命令及び／又はデータ２０４（セキュリティ２０４）、及び／又は音声及び／又は映像データ，ＤＲＭデータ，課金データ、及び／又は条件，機密個人情報、その他メディア装置１００に記憶され及び／又はメディア装置１００に送受信されるデータについての、セキュリティ及び／又はプライバシー関連の計算を実行するための他の命令を記憶することができる。
例えば、メモリ１１０は、暗号化（及び／又は暗号解読）キーを示すフィールドを含むデータ構造を記憶し、さらに暗号化（及び／又は暗号解読）キーを用いて映像ストリームを暗号化するための命令を記憶することができる。
【００２５】
メモリ１１０は、選択的に、映像データ２０１及び／又は入力してくる映像信号についての同一性認識（例えば、顔面認識，感情認識，声認識、及び／又は他のパターン又は識別子認識）を実行するための命令及び／又はデータ２０５（識別２０５）を記憶することができる。
例えば、メモリ１１０は、画像認識が実行される対象となるデータベース、例えば群集の中から顔を認識するための顔データベースに格納される識別子を含むデータ構造を記憶する。データベースは、（部分的にあるいは完全に）メディア装置１００の中に格納されるか、又は外部のサーバ上に置かれる。
他の例としては、メモリ１１０は、（メモリ１１０に記憶された画像抽出命令を用いることにより）映像ストリーム及び／又は映像クリップから抽出した特徴を含むデータ構造を記憶することができ、抽出された特徴は、データベースの照会に用いることができ、また、さらなる処理のためにサーバに送ることができる。
【００２６】
メモリ１１０は、選択的に、オーサリング及び／又はデジタル映像編集（例えば、リニア又はノン・リニア編集），合成及び／又はアップル社製ファイナル・カット・プロ・ソフトウェアのような特殊効果を行うための命令及び／又はデータ２０６（オーサリング２０６）を記憶する。
例えば、メモリ１１０は、ビデオ・クリップ及び／又はビデオ・ストリームのコード化に関連するビット・レートを含むデータ構造を記憶する。
他の例として、メモリ１１０は、著作者情報，ジャンル情報，題名，キャラクタ，俳優，ジャンル，ストーリー，活動，視聴者人工統計，場所，場面，背景，小道具，対象，セット部品、その他ビデオ・クリップ及び／又はビデオ・ストリームに関係する情報のデータ構造を記憶する。
【００２７】
メモリ１１０は、選択的に、取り込まれたシーン（ビデオ・ストリーム及び／又はビデオ・クリップ）のデジタル情報にメタ・データをタグ付けするための命令及び／又はデータ２０７（タグ付け２０７）を記憶する。
例えば、メモリ１１０は、時間，（ＧＰＳモジュール１１２によって与えられるような）メディア装置の位置，メディア装置の方向及び／又は（加速検出器１１３によって与えられるような）加速度，（翻訳，字幕，吹き替えなどを考慮に入れた）複数の言語の特徴，（劇場で客席を照らす照明を上，中間，下へ向ける命令、あるいはカーテンを開閉する命令などの）劇場の自動システムにおける命令，（予告編映像やプロモーション用クリップ等の）コンテンツを他の同様のコンテンツの次に上映させる、あるいはさせないかの命令，子供等の異なる観客のための内容の適性を示す情報，（広告，製品カタログ及び／又は製品及び／又はサービスのクーポン等の）販売促進の申し出や製品及び／又はサービスを示す情報，広告業者及び／又はサービス提供者が入手できるメタ・データの整理及び／又は管理を考慮に入れた情報、その他コンテンツの内容を描写し、識別し、及び／又はコンテンツと関連する情報を含むデータ構造を記憶する。
【００２８】
ＤＲＭメタ・データ及び／又は命令は、選択的に、以下の権利，制限，規定を実施するためのフラグを含むことができる。すなわち、複製・再生する権利及び／又は制限、公衆で上演・上映する権及び／又は制限，表示・展示する権利及び／又は制限、配布する権利及び／又は制限，輸入する権利及び／又は制限，転送あるいはアクセスする権利及び／又は制限，デジタル・ミレニアム著作権法（ＤＭＣＡ）に基づく権利及び／又は規定，現金化する権利及び／又は制限，閲覧する権利及び／又は制限，記憶・保管する権利及び／又は制限，コンパクト・ディスク（ＣＤ）あるいはＤＶＤへの焼き付けのような転送する権利及び／又は制限，参照し、接続し、あるいはフレーミングする権利及び／又は制限，ストリーミングあるいはダウンロードする権利及び／又は制限，広告宣伝の権利及び／又は制限、その他の権利及び／又は制限、及び／又は規定を実施するためのフラグを含むことができる。
【００２９】
例えば、メモリ１１０は、ビデオ・クリップ及び／又はビデオ・ストリームを識別するフィールド、及びビデオ・クリップ及び／又はビデオ・ストリームを複製・再生する権利がビデオ・ストリームの識別されたビデオ・クリップに与えられているかどうかを示すためのフィールドを含むデータ構造を記憶する。
また、他の例として、メモリ１１０は、ビデオ・クリップ及び／又はビデオ・ストリームを識別するフィールド、及び公衆で上演・上映する（及び／又は展示・表示する）権利がビデオ・ストリームの識別されたビデオ・クリップに与えられているかどうかを示すフィールドを含むデータ構造を記憶する。その他のデジタル権利も同様に実施することができる。
また、ＤＲＭメタ・データ及び／又は命令は、デジタル・コンテンツの安全な販売促進，販売，配送，流通、及び／又は使用の追跡をサポートすることができる。また、実行環境は、カーネルとユーザスペースとに区分でき、また、マイクロソフトの次世代セキュアコンピューティングベース（ＮＧＳＣＢ）に従って、標準のパーティションと保護されたパーティションに区分することができる。
【００３０】
メディア装置１００は、選択的に、メディア・セグメントを表わすＲＤＦ（例えばＸＭＰ）タグの中に、ラベルを挿入し、消去し、及び／又は変更する。
メディア装置１００は、選択的に、コンテンツ認証性，デバイス認証、及び／又はユーザ認証を実行する。コンテンツ認証性は、デジタル電子透かし，デジタル指紋取り、及び／又はコンテンツ認証のための他の技術からなる。例えば、メモリ１００は、ビデオ・クリップ及び／又はビデオ・ストリーム源を表わす識別子を読むための命令を記憶する。ここで、識別子は、ビデオ・クリップ及び／又はビデオ・ストリーム内のデジタル電子透かしの中に組み込まれる。また、他の例として、メモリ１００は、ビデオ・クリップ及び／又はビデオ・ストリームをダウンロードするための一又は二以上の許可されたソースを識別するフィールドを含むデータ構造を記憶する。
デバイス認証は、スマート・カード，公開鍵証明書、及び／又は認証を行うためのデバイスを含む。ユーザ認証は、バイオメトリック・モジュール１０６を用いたバイオメトリックス，パスワード、及び／又はユーザ認証を行うためのその他の技術を含む。
【００３１】
メディア装置１００は、選択的に、（例えば、メモリ１１０に記憶される）ソフトウェア及び／又はハードウェア中に、ＤＶＢ（デジタル映像放送）及び／又はＭＨＰ（マルチメディア・ホーム・プラットフォーム）抽象化（アブストラクション）レイヤのようなアプリケーションとディスプレイの間の抽象化レイヤを実現する。
【００３２】
図３ａは、本発明の好ましい一実施形態に係る、他のデバイス及び／又はサービスと通信可能にネットワーク化されたメディア装置１００（例えばネットワーク接続されたカメラ）を示すブロック図である。
メディア装置１００と他のデバイス及び／又はサービスとの通信は、ダイレクト・ネットワーク接続，インターネット，ＷｉＦｉ，ＩＥＥＥ８０２．１１，ＩＥＥＥ８０２．１６，ＩＥＥＥ８０２．１５．４，ＺｉｇＢｅｅ仕様，セルラー，Ｂｌｕｅｔｏｏｔｈ，ユニバーサル・シリアル・バス（ＵＳＢ，アップル社製ファイヤ・ワイヤ、及び／又は他の通信チャンネル又はプロトコルを介して行われる。
通信は、選択的に、暗号化，認証化、及び／又はデジタル署名され、その暗号化，認証化，デジタル署名は、メモリ１１０に実装される暗号化エンジン２０４、あるいは、制御部１０８に実装される暗号化エンジン２０４によって行われることが好ましい。
【００３３】
メディア装置１００は、選択的に、メディア・リポジトリ３０７と通信を行い、映像及び／又は音声クリップと、映像及び／又は音声メタ・データ、例えば、著作者情報，ジャンル情報，題名，キャラクタ，俳優，ジャンル，ストーリー，活動，人口統計，場所，場面，背景，小道具，対象，セット部品などのメタ・データを、ダウンロード及び／又はアップロードする。
メディア装置１００は、選択的に、ＤＲＭサービス３０８と通信を行い、ＤＲＭメタ・データをダウンロード及び／又はアップロードする。また、メディア装置１００は、選択的に、ＤＲＭルールのセットに従い、無許可複製，無許可放送などのデジタル権利の侵害及び／又は違反を示すメッセージを生成する。例えば、メモリは、ビデオ・クリップ及び／又はビデオ・ストリームを識別するフィールド、及び許可なくビデオ・クリップ及び／又はビデオ・ストリームを放送する行為のようなＤＲＭルールの違反の識別子を含むデータ構造を記憶する。
【００３４】
メディア装置１００は、選択的に、セキュリティ・サービス３０９と通信を行い、場面の映像及び／又は音声記録などのセキュリティ情報，同一性識別命令２０５によって計算される同一性識別データ，ＧＰＳモジュール１１２によって供給されるＧＰＳデータ，加速検出器１１３によって供給される方向データをアップロードし、及び／又は、観る位置，画像に対してマッチングを行うために記憶する同一性データ、及び／又は音声クリップに対してマッチングを行うために記憶する声音声署名などのセキュリティ情報をダウンロードする。
例えば、メディア装置１００は、人物を識別するフィールド、及び人物がメディア装置１００によって感知された時点でのメディア装置１００の位置を識別するフィールドを含むデータ構造を、セキュリティ・サービス３０９に送る。
また、メディア装置１００は、選択的に、警察認証と組み合わせることができ、潜在的な危険及び／又は疑わしい状態を識別する内蔵されたメディア装置知能に従って、生（ライブ）及び／又は記録された映像を供給し、及び／又は警報の発生，警察への通報を行うことができる。
【００３５】
メディア装置１００は、選択的に、バイオメトリック・サービス３０１と通信が行われ、バイオメトリック・モジュール１０６によって得られたバイオメトリック情報をアップロードし、及び／又は入力されたバイオメトリック・データに対するマッチングを行うためのバイオメトリック署名をダウンロードする。
メディア装置１００は、選択的に、ＧＰＳ情報を受信するために、ＧＰＳ衛星のようなＧＰＳサービス３０２と通信が行われる。これにより、メディア装置１００が制限された地域に移動した場合、ＧＰＳサービスによって、及び／又はメディア装置１００に記録されている情報及び／又は遠隔的に得られた情報によって指摘され、ＧＰＳユニット１１２が警報を発することができる。例えば、メモリ１００は、制限された地理的領域を識別するフィールドを含むデータ構造を記憶し、メディア装置１００の位置が、ＧＰＳサービス３０２が指摘するように、その制限された地理的領域に入った場合には、メディア装置１００は警報を発生することができる。
【００３６】
メディア装置１００は、選択的に、ニュース・サービス３１０及び／又は他の目的とする情報サービスと通信を行う。本発明の一実施形態に係るメディア装置１００は、ニュース・サービス３１０から所定のデータ構造を受信し、そのデータ構造は、デジタル・テンプレートを表し、位置を特定するフィールドと、（インタビューする者，視聴者が指摘する特定の場所，同様のニュースを報道する他のニュースレポーター等の）レポーターによって報道されるべき要素を特定する一又は二以上のフィールドを含む。
メディア装置１００は、選択的に、スポーツ放送ネットワーク，ゲーム・ショウ放送ネットワーク、及び／又は他のゲームあるいは競技関係ネットワーク３１１と通信を行う。本発明の一実施形態に係るメディア装置１００は、スポーツ放送ネットワーク３１１から所定のデータ構造を受信し、そのデータ構造は、一又は二以上の競技を行う当事者を特定するフィールド，競技の場所を特定するフィールド、及び競技の予定を示すフィールドを含む。
【００３７】
メディア装置１００は、選択的に、プライベート・サービス３１２（例えば、一般には非公開のサーバや会員登録制のサーバ等）と通信を行う。一実施形態に係るメディア装置１００は、映画作品ソース又はネットワーク３１２から所定のデータ構造を受信する。そのデータ構造は、一又は二以上の映画あるいはメディア作品を特定するフィールド，製作場所を特定するフィールド、及び製作予定を示すフィールド、一又は二以上の場面を示すフィールド、及び一又は二以上の出演者あるいはスタッフを示すフィールドを含む。
メディア装置１００は、選択的に、映像データを表示するためのレンダラ３１３と通信を行う。レンダラ３１３は、映画館，テレビジョン受信機，コンピュータ・ディスプレイ，ＩＭＡＸディスプレイ，デジタル音声放送機（ＤＡＢ），衛星放送機，デジタルＴＶ，高精細ＴＶ（ＨＤＴＶ），ＰＤＡ、及び／又は携帯電話（又はその他のモバイル・デバイス・ディスプレイ）等からなる。
【００３８】
メディア装置１００は、選択的に、パーソナルコンピュータ（ＰＣ）及び／又はワークステーション３０３、及び／又はメディア装置１００に記録されているデータとコンピュータ３０３（選択的に、コンピュータ３０３に記録されている管理メディア・リポジトリ及び／又は管理プログラムとのインターフェースを行う）との同期を行うための他のコンピューティング・デバイスと通信を行う。例えば、メモリ１１０は、メディア装置１００とコンピュータ３０３（又はコンピュータ３０３に記録されている管理メディア・リポジトリ及び／又は管理プログラム）の最終同期の時刻を示すフィールドを含むデータ構造を記憶する。通信は、無線及び／又は（コンピュータ３０３に接続された）クレードルを介して行われ、メディア装置１００は、同期のためにクレードル内に設置される。
本発明の一実施形態に係るメディア装置１００は、同期ボタン（メディア装置１００上の機械的ボタン及び／又はメディア装置１００の画像ディスプレイ上に表示されるソフトボタン）を提供するユーザ・インタフェースを備える、このボタンを起動させることにより上述したデータ同期が行われる。
【００３９】
メディア装置１００は、選択的に、ＰＤＡ３０４，セルラー・サービス、及び／又はデバイス３０５、及び／又は、他の映像及び／又は音声データを表示するモバイル・サービス及び／又はデバイスと、通信を行う。
メディア装置１００は、選択的に、他のネットワーク・メディア装置３０６と通信を行い、映像及び／又は音声クリップを交換し、及び／又はメディア企画の製作で共同製作する。ここで、この種のメディア装置には、当該メディア機器を特定するための何等かの印（数字，文字列など）が固定的にあるいは変動的に与えられる。
また、メディア装置１００は、選択的に、その他のネットワーク化された他のメディア機器（例えばカメラ）３０６と通信を行い、例えば、ビジネス会議，不動産取り引き，通信教育，スポーツ，ファッション・ショウ，サーベイランス，訓練，ゲーム，観光事業などにおけるビデオ会議、及び／又は多岐にわたる協働処理が行える。このために、メモリ１１０は、協働するメディア装置１００のグループを表わすフィールド、及び協働するメディア装置のグループ中からメディア装置１００自身を特定するフィールドを含むデータ構造を記憶することができる。
【００４０】
図３ｂは、本発明の一実施形態に係るネットワーク拡張可能・再構成可能メディア装置とサーバがネットワークを介して通信可能に接続される状態を示すブロック図である。同図に示すように、一又は二以上のメディア装置３３０は、ネットワーク３３１を介してサーバ３３２と通信を行う。
ネットワーク３３１は、一又は二以上の有線及び／又は無線ネットワークの組み合わせからなり、例えば、インターネット，ＬＡＮ，ＷＡＮ，衛星ネットワーク，その他の通信ネットワークからなる。
【００４１】
本発明の一実施形態に係るサーバ３３２は、ニュース番組を作成するためのスクリプトあるいはデジタル・テンプレートを持つニュース・サーバである。サーバ３３２は、個々のメディア装置クライアント３３０に対して、予め決められた一続きの音声及び／又は映像データの記録又はストリーミングを行う。ここで、記録され、あるいはストリーミングされる音声，映像のデータ片は、サーバ３３２に、ニュース番組を製作するためのスクリプトあるいはデジタル・テンプレートを供給するために用いられる。
その他の実施形態として、サーバ３３２は、スポーツ番組あるいは他の競技活動のための番組を製作するためのスクリプトあるいはデジタル・テンプレートを持つスポーツあるいは他の競技のためのサーバとして備えられる。このサーバ３３２は、種々の予め決められた一続きの音声及び／又は映像データの記録又はストリーミングを、種々のメディア装置クライアント３３０に対して行い、記録あるいはストリーミングされたデータは、サーバ３３２に、スポーツ（あるいは他の競技）番組を製作するためのスクリプトあるいはデジタル・テンプレートを供給するために用いられる。
【００４２】
本発明の一実施形態に係るＩ／Ｏモジュール１１１は、課金機能，ＤＲＭ機能，認証，同一性認識，メディアのデジタル編集、及び／又は、図３ａに示し、上述したように、他のサービスにアクセスし、使用するための、ハード（物理的な）ボタン及び／又はソフト（画像による）ボタンの組み合わせからなるユーザ・インタフェース（ＵＩ）を提供する。
例えば、（ボタン等からなる）ビューは、映像データの視聴に伴う課金を承認できるように、ディスプレイ１１４を介して表示される。
【００４３】
他の例としては、ビューは、上述したニュース・サーバあるいはスポーツ・サーバ等のサーバ３３２へ提供，送信するための一又は二以上の音声及び／又は映像データを選択できるように、ディスプレイ１１４を介して表示される。表示された音声及び／又は映像データの選択は、サーバへ提供又は送信するために選択されたデータを指定する。
なお、インターフェースとメディア装置とは物理的に分離することができ、ユーザは、インターフェースを通して、プール（pool）あるいは一又は二以上のメディア装置に接続することができ、利用可能な音声及び／又は映像データを視聴し、及び／又は、上述のように、サーバ３３２に提供又は送信するための一又は二以上の利用可能な音声及び／又は映像を選択することができる。
他の例としては、提供され送信された音声及び／又は映像データを、スクリプトあるいはデジタル・テンプレートに組み込むことを承認するために、ビューはサーバ３３２上で表示される。このとき、音声及び／又は映像データは、上述したように、メディア装置クライアント３３０によってサーバ３３２に提供される。
【００４４】
図４は、本発明の一実施形態に係るネットワーク拡張可能・再構成可能メディア装置における、データの取り込み方法を示すフローチャートである。
同図に示す方法は、前製作（４０１）により開始する。前製作（pre-production）は、スクリプト及び／又はストーリーボード・フローチャートの使用（４０２）、又はデジタル・テンプレートの使用（４０３）を含んでいる。このフロント・エンドの部分は、ソフトウェアにより自動あるいは手動で実行され、この部分には、スクリプト，ストーリーボード、及び／又はデジタル・テンプレートの解析，デザイン，開発，製作，実行あるいは評価を含む。選択的に、フレーム及び／又は場面は、使用しているスクリプト，ストーリーボード、及び／又はデジタル・テンプレートに従って、（メタ・データを介して）分類される。
【００４５】
スクリプト又はストーリーボードは、有線及び／又は無線ネットワークを介してダウンロードされ、着脱可能型の記憶装置（例えば、メモリカード及び／又はディスク）を介して利用でき、あるいは、メディア装置上に生成することができる。デジタル・テンプレートは、特定の順序で個々の場面及び／又はセグメントを取り込み（所謂、“シューティング”又は記録）、組み立てることにより、映像及び／又はマルチメディア文書を構成する方法を表わすもので、有線及び／又は無線ネットワーク・メディア機器を通してダウンロードされ、また、メディア装置上に生成される。なお、メディア装置１００のユーザは、スクリプト，ストーリーボード及び／又はデジタル・テンプレートを用いず、直接、取込み（４０４）を進めることもできる。
テンプレートの一例として、自動車事故の保険調査のためのテンプレートがある。このテンプレートは、例えば、保険会社によって予め定められた、種々の角度から撮った、事故に遭った自動車の映像クリップを記憶する記憶領域（所謂スロット）を示すものである。
【００４６】
メディア装置１００は、選択的に、メディア装置の操作者に適応したガイドを行う。このガイドは、例えば、スクリプトに従っては発生しない緊急な状態あるいは事象を扱う場合に、代替のスクリプト経路を取り、及び／又はスクリプト（あるいはストーリーボード又はデジタル・テンプレート）の流れを変更し、あるいは一般的にスクリプトから離れることを任意に決定できるように行われる。このようなガイダンスは、ベイジアン・モデルを用いたロジック，ニューラル・ネットワーク，ファジー・ロジック、及び／又は、その他複雑な条件及び／又は不完全な情報の下での決断を下すための技術に従って、非決定論的スクリプトを用いることができる。例えば、一実施形態に係るメディア装置では、スクリプト中の出演者メンバーを、（主役の役者を名前で示す代わりに、あるいはそれに加えて）主役として“少なくとも五年の経験のある女優”というようなファジー属性で表わされる。そして、主役の役者が仕事を取り消した場合には、ファジー・ロジックを使用した命令は、その代役を果たす一又は二以上の候補者を動的に推薦するために、ファジー属性に合致する役者の検索を行う。
【００４７】
デジタル・テンプレート又はスクリプトは、選択的に、一又は二以上の分岐点を考慮に入れた非線形である。分岐点は、スクリプト及び／又はテンプレートが複数の経路を流れることができるようにする。例えば、場面（あるいはクリップ又はストリーム）Ａの後に、Ａに続く分岐点のどの分岐が取られるかによって、場面Ｂあるいは場面Ｃが続く。視聴者のために、このような非線形テンプレートあるいはスクリプトに従って用意されたメディア・プレゼンテーションは、異なった場面（あるいはクリップ又はストリーム）配列からなるプレゼンテーションの多様性を考慮している。視聴者にとって、分岐点で交互の経路のうちどれを取るかについては、観客の選択により，ランダム選択により，（例えば、天気，温度，株取引，日付，年，視聴場所，視聴者の口座残高、その他の外部変数の一又は二以上の組み合わせ等の）外部変数に基づき，視聴者のバイオメトリック感知に基づき，（幸福，悲しみ，興奮，無関心，プレゼンテーションの特定の側面に関する興味、及び／又は、他の感情あるいは視聴者によって表わされる興味の表示等の）視聴者の個性あるいは感情認識処理の結果に基づき，（例えば、入力デバイスを介するかあるいはプレゼンテーションモジュールによって検出される、次にどのスクリプト又はテンプレート経路を取るかの慎重な視聴者の決断等の）視聴者又は大勢の聴衆からのリアルタイム入力に基づき、あるいはその他の変数に基づいて決定することができる。
【００４８】
このような非線形テンプレート又はスクリプトは、例えば、観客に応じて与えられた映画のＰＧ指定，Ｒ指定、あるいはＸ指定の製作及びプレゼンテーションを考慮することができる（例えば、親は、子供のためにＰＧ指定のプレゼンテーションを選択する一方、Ｒ指定映画を観ることを選択することができる）。
他の例として、結婚式用のテンプレート又はスクリプトは、花嫁の家族が観るか花婿の家族が観るかによって、異なったプレゼンテーションを考慮に入れることができる。
また、他の例としては、ミステリーのプレゼンテーションでは、視聴者の入力や上述したような外部変数に基づいて、代替の結末を提供することができる。
【００４９】
メディア装置１００は、映像及び／又は音声の取り込み（４０４）を行い、デジタル表現をメモリ１００に記憶する。選択的に、複数の音声及び／又は映像ストリームは、同一のメディア装置又は協働する複数のメディア装置で取り込むことができる。ここで、協働する複数のメディア装置においては、関連する場面及び／又はストリーム及び／又はフレームを表わすメタ・データ・タグの形式、及び／又は異なった場面及び／又はストリームを関連づける時間スタンプを表わすメタ・データの形式で、複数のストリームの同期が行われる。
例えば、メモリ１１０は、一又は二以上の関連する映像場面及び／又はストリーム及び／又はフレームを示す一又は二以上のフィールドと、関連する性質を示す（例えば、データが取り込まれた同一対象について、異なる角度から観た映像場面及び／又はストリーム及び／又はフレームを示す）フィールドを含むデータ構造を記憶することができる。
そして、メディア装置１００は、制御部１０８及び／又はメモリ１１０に記憶された音声又は映像プラグインを用いて、記憶されたデジタル表現の後製作（post-produces）（４０５）を行う。
【００５０】
その後、後製作されたデジタル表現は、メモリ１１０（又はオプションでメディア装置に搭載されるハードディスクやデータ記憶用の記憶テープ等の他の記憶媒体）に記憶（４０６）され、メディア装置に搭載されたディスプレイ装置１１４に表示（４０７）され、及び／又は、配布（４０８）される。配布は、メディア装置以外の他のディスプレイ、及び／又は展示用（例えば、ＩＭＡＸ１５／１７フォーマットに従ったＩＭＡＸディスプレイ用、又はテキサス・インスツルメンツ社製ＤＬＰ（デジタル光プロセス）フォーマット用）に送信され、また、ＩＭＡＸのＤＭＲ（デジタル・リマスタリング）フォーマットに従ったデジタル再マスター作成用に送信され、また、衛星配信用（例えば、ＰＤＡ，携帯電話，個人用音声及び／又は映像再生機、又は音声及び／又は映像を表現するための他のデバイス等の、デジタル音声放送（ＤＡＢ）対応型デバイスへのＤＡＢ配信スキーム用）に送信されることにより行われる。
選択的に、メディア装置１００と他のデバイス及び／又はサービスとの通信は、ＡＴＳＣ  ＤＡＳＥ（アドバンスト・テレビジョン・システム委員会デジタルＴＶ応用ソフトウェア環境）のアーキテクチャを含む。
【００５１】
図５は、本発明の一実施形態に係るネットワーク拡張可能・再構成可能メディア装置において、選択的に行われるテンプレートへの書込み方法を示すフローチャートである。
同図に示すように、テンプレートへの書込みが開始されると（５０１）、テンプレートに従って最初の場面の取込みが行われ（５０２）、取り込まれた場面がテンプレートに書き込まれる（５０３）。その後、同様の処理が繰り返され（５０４）、追加の場面が求められなければ（５０５）、終了となる（５０６）。
このようなテンプレートは、例えば、アドバンスト・オーサリング・フォーマット（ＡＡF）等の好適なフォーマットを含み、メモリ１１０に記憶される。
【００５２】
図６は、本発明の一実施形態に係るネットワーク拡張可能・再構成可能メディア装置において、選択的に行われる音声及び／又は映像表現へのメタ・データ構造に含まれる情報のタグ付け方法を示すフローチャート図である。
同図に示すように、シーン（場面）のデータの取込み（６０１）が行われると、取り込まれたシーンのデジタル情報に、メタ・データがタグ付け（６０２）される。
メタ・データは、例えば、時間、（ＧＰＳモジュール１１２によって与えられるような）メディア装置の位置，メディア装置の方向及び／又は（加速度検出器１１３によって与えられるような）メディア装置の加速度，（翻訳，字幕，吹き替えなどを考慮に入れた）多言語の特徴，（劇場で客席を照らす照明を上，中，下に向ける命令や、カーテンを開閉する命令等の）劇場の自動システムにおける命令，（予告編映像やプロモーション用クリップ等の）コンテンツを他の同様のコンテンツの次に上映させる、あるいはさせないかの命令，子供等の異なる観客のための内容の適性を示す情報，（広告，製品カタログ及び／又は製品及び／又はサービスのためのクーポン等の）販売促進の申し出や製品及び／又はサービスを示す情報、広告業者及び／又はサービス提供者が入手できるメタ・データの整理及び／又は管理を考慮に入れた情報、その他コンテンツの内容を描写し、識別し、及び／又はコンテンツと関連する情報を含む。
【００５３】
タグ付けは、場面ごとに、フレームごとに、（複数のストリームが存在する場合には）音声及び／又は映像ストリームごとに、あるいは音声及び／又は映像の特定のセグメントごとに行うことができる。例えば、映像場面については、当該映像場面中で使用される言語を特定するフィールドを含むメタ・データをタグ付けすることができる。また、例えば、映像ストリームについては、子供の視聴に対する警告を示すフィールドを含むメタ・データをタグ付けすることができる。
【００５４】
図７は、本発明の一実施形態に係るネットワーク拡張可能・再構成可能メディア装置において、メディア装置に搭載されていない他の装置資源等から、メディア装置のメモリにデータ及び／又は命令を転送する方法を示すフローチャートである。
同図に示すように、メディア装置に搭載されていない機能を備える他の装置資源の決定（７０１）、例えば（テンプレート，プラグイン，ＤＲＭデータ，暗号化鍵，メディア・クリップ，セキュリティ・データ，バイオメトリック・データ，ＧＰＳデータ等のための）外部リポジトリの外部装置資源が決定すると、その決められた外部装置資源から、メディア装置に搭載されたメモリ１１０に、データ及び／又は命令の転送（７０２）が行われる。
【００５５】
一実施形態に係るメディア装置１００は、分散された複数のメディア装置群のメンバーとして構成することができ、例えば、複数のメディア装置１００の分散ネットワーク、及び／又はピア・ツー・ピア構造のメディア装置１００の分散グループのメンバーとすることができる。
メディア装置１００は、動的に、複数のメディア装置１００からなる分散グループを並列及び／又は直列に接続し、及び／又は切り離す。あるいは、メディア装置１００は、複数のメディア装置１００からなる分散グループを構成して、動的に他のメディア装置との接続し及び／又は切離しを開始することができる。
【００５６】
一実施形態に係るメディア装置１００のグループは、スポーツ・イベント，公衆の政治的イベント（例えば集会），家族的なイベント（例えば結婚式），その他のイベント等のイベントの報道のために協働する。
メディア装置１００は、上述したように、取り込まれた音声及び／又は映像データ（例えば、ＧＰＳ情報，時刻スタンプ，ＤＲＭメタ・データ、その他上述した各種情報等）にタグ付けをし、分散されたメディア装置１００によって集められた音声及び／又は映像データにより報道されたイベントの再構成を可能とする。
メモリ１１０は、以上のようなメディア装置の分散グループについての加入，接続，切離し、及び又は状態又は情報の問合わせのための命令及び／又はデータを記憶する。
【００５７】
以上、本発明の好ましい実施形態について説明したが、本発明に係るネットワーク拡張可能・再構成可能メディア装置は、上述した実施形態にのみ限定されるものではなく、本発明の範囲で種々の変更実施が可能である。
特に、上述した発明の機能的な実施は、ハードウェア，ソフトウェア，及び／又は利用可能なその他の機能的要素，ビルディング・ブロックにより均等に実施することができ、また、ネットワークは有線，無線、あるいは有線と無線の組合せによっても良い。
その他の変更や他の実施形態も上述の説明に照らして可能であり、発明の範囲は詳細な説明の記載によって限定されるものではなく、特許請求の範囲によって定められる。
【図面の簡単な説明】
【００５８】
【図１ａ】図１ａは、本発明の一実施形態に係るネットワーク拡張可能・再構成可能なメディア装置の構成を示すブロック図である。
【図１ｂ】図１ｂは、本発明の他の実施形態に係るネットワーク拡張可能・再構成可能なメディア装置を例示したブロック図である。
【図２】図２は、本発明の一実施形態に係るネットワーク拡張可能・再構成可能なメディア装置のメモリを示すブロック図である。
【図３ａ】図３ａは、本発明の一実施形態に係る、他のデバイス及び／又はサービスと通信可能にネットワーク化されたネットワーク拡張可能・再構成可能メディア装置を示すブロック図である。
【図３ｂ】図３ｂは、本発明の一実施形態に係るネットワーク拡張可能・再構成可能メディア装置とサーバがネットワークを介して通信可能に接続される状態を示す図である。
【図４】図４は、本発明の一実施形態に係るネットワーク拡張可能・再構成可能メディア装置における、データの取り込み方法を示すフローチャートである。
【図５】図５は、本発明の一実施形態に係るネットワーク拡張可能・再構成可能メディア装置における、テンプレートへの書込み方法を示すフローチャートである。
【図６】図６は、本発明の一実施形態に係るネットワーク拡張可能・再構成可能メディア装置における、音声及び／又は映像表現へのメタ・データ構造に含まれる位置及び／又は方向情報のタグ付け方法を示すフローチャートである。
【図７】図７は、本発明の一実施形態に係るネットワーク拡張可能・再構成可能メディア装置における、メディア装置に搭載されていない他の装置資源等から、メディア装置のメモリにデータ及び／又は命令を転送する方法を示すフローチャートである。
【符号の説明】
【００５９】
１００  ネットワーク拡張可能・再構成可能メディア装置
１０１  メディア・ユニット
１０２  映像センサ
１０３  通信ユニット
１０４  音声センサ
１０６  バイオメトリック・センサ
１０８  制御部
１１０  メモリ
１１１  Ｉ／Ｏモジュール
１１２  ＧＰＳモジュール
１１３  加速度検出器
１１４  ディスプレイ
１１５  スピーカ
１１６  電源モジュール
【図１ａ】
2004357272.tif 000003
【図１ｂ】
2004357272.tif 000004
【図２】
2004357272.tif 000005
【図３ａ】
2004357272.tif 000006
【図３ｂ】
2004357272.tif 000007
【図４】
2004357272.tif 000008
【図５】
2004357272.tif 000009
【図６】
2004357272.tif 000010
【図７】
2004357272.tif 000011